(57)【特許請求の範囲】
【請求項１】
有底筒状をなし、内容物が収容される容器本体と、
前記容器本体において容器軸を挟んで互いに対向する位置にヒンジを介して連結され、前記容器本体の開口を開閉する一対の蓋体と、を備え、
前記一対の蓋体には、前記容器本体内に着脱自在に嵌合される脚部が形成されており、
前記脚部には、前記容器本体に形成された第１係合部と係合する第２係合部が形成されており、
前記容器本体が、前記ヒンジが配設された周方向に沿う部分が前記容器本体の内側に向けて押し込まれたときに、前記第１係合部が形成された部分が前記容器本体の外側に向けて変位するように弾性変形可能に形成されていることを特徴とする蓋付容器。
【請求項２】
前記容器本体の上端部が、横断面で長方形状をなしており、前記容器軸を挟んで互いに対向する一対の長辺壁部及び一対の短辺壁部を有しており、
前記第１係合部が、前記長辺壁部に形成され、
前記ヒンジが、前記短辺壁部に配設されていることを特徴とする請求項１に記載の蓋付容器。
【請求項３】
有頂筒状をなす一対の前記蓋体には、前記容器軸方向及び前記容器軸に直交する方向双方に延在し、互いに突き合わされる突合面が形成されており、
前記突合面には、指掛け凹部が形成されていることを特徴とする請求項１または２に記載の蓋付容器。
【発明の詳細な説明】
【技術分野】
【０００１】
本発明は、蓋付容器に関するものである。
【背景技術】
【０００２】
錠剤が収容される容器本体と、容器本体に内装されると共に容器本体の取出孔を開閉する板バネ部材と、を備え、板バネ部材に設けられた押しボタンを容器本体内に押し込むことによって、板バネ部材が弾性変形して上記取出孔を開放する錠剤容器が提案されている（例えば、特許文献１参照）。
【先行技術文献】
【特許文献】
【０００３】
【特許文献１】特開平１１−７０９８０号公報
【発明の概要】
【発明が解決しようとする課題】
【０００４】
しかしながら、このような錠剤容器では、板バネ部材の押しボタンを押し込むだけで容器本体の取出孔が開放されるため、幼児などにこの取出孔を容易に開放させないようにするチャイルドプルーフ機能を付与することが望まれている。
【０００５】
本発明は、前述の課題に鑑みてなされたもので、操作性を維持しつつ、幼児などによって内容物を取り出す容器本体の開口を容易に開放させないようにした蓋付容器を提供することを目的とする。
【課題を解決するための手段】
【０００６】
本発明は、上記のような課題を解決するために以下のような手段を採用した。すなわち、本発明の蓋付容器は、有底筒状をなし、内容物が収容される容器本体と、前記容器本体において容器軸を挟んで互いに対向する位置にヒンジを介して連結され、前記容器本体の開口を開閉する一対の蓋体と、を備え、前記一対の蓋体には、前記容器本体内に着脱自在に嵌合される脚部が形成されており、前記脚部には、前記容器本体に形成された第１係合部と係合する第２係合部が形成されており、前記容器本体が、前記ヒンジが配設された周方向に沿う部分が前記容器本体の内側に向けて押し込まれたときに、前記第１係合部が形成された部分が前記容器本体の外側に向けて変位するように弾性変形可能に形成されていることを特徴とする。
【０００７】
この発明では、一対の蓋体が容器本体の開口を閉塞している状態では、容器本体に形成されている第１係合部と蓋体の脚部に形成されている第２係合部とが係合しているので、一対の蓋体がヒンジ回りに回動して容器本体の開口が開放されることが規制される。
そして、容器本体のうち一対のヒンジが配設された周方向に沿う部分を径方向内側に押し込むと、容器本体のうち第１係合部が形成されている部分が径方向外側に変位して第２係合部から径方向外側に離れるので、第１係合部と第２係合部との係合が解除される、または緩む。この状態で、一対の蓋体をヒンジ回りに回動させることにより、容器本体の開口を開放することができる。
このように、容器本体の開口を開放するために、容器本体の上記部分を径方向内側に押し込みながら一対の蓋体をヒンジ回りに回動させる必要があるので、内容物を取り出す容器本体の開口を容易に開放させないようにすることができる。
そして、蓋体をヒンジ回りに回動させて第１係合部と第２係合部とを再度係合させることによって、容器本体の開口を閉塞する。このように、蓋体をヒンジ回りに回動させるだけで、容器本体の開口を閉塞できると共に、第１係合部と第２係合部とを係合させ、蓋体がヒンジ回りに回動して容器本体の開口を開放することを規制できる。
以上より、操作性を維持しつつ、幼児などによって内容物を取り出す容器本体の開口を容易に開放させないようにすることができる。
【０００８】
また、本発明の蓋付容器では、前記容器本体の上端部が、横断面で長方形状をなしており、前記容器軸を挟んで互いに対向する一対の長辺壁部及び一対の短辺壁部を有しており、前記第１係合部が、前記長辺壁部に形成され、前記ヒンジが、前記短辺壁部に配設されていてもよい。
この場合では、長辺壁部が、短辺壁部よりも幅広となっているため、短辺壁部と比較して径方向で膨出、陥没変形しやすい。これにより、ヒンジが配設されている一対の短辺壁部を径方向に押し込む際に、第１係合部が形成されている一対の長辺壁部が径方向外側に向けて弾性変形しやすくなる。また、長辺壁部よりも幅狭の短辺壁部にヒンジを配設することで、一対の短辺壁部を径方向内側に弾性変形することを防止しながら短辺壁部全体を径方向内側に変位させることができる。したがって、幼児などによって容器本体の開口を容易に開放させない構成としつつ、第１係合部と第２係合部との係合解除が容易になり、操作性が向上する。
【０００９】
また、本発明の蓋付容器では、有頂筒状をなす一対の前記蓋体には、前記容器軸方向及び前記容器軸に直交する方向双方に延在し、互いに突き合わされる突合面が形成されており、前記突合面には、指掛け凹部が形成されてもよい。
この発明では、指などを指掛け凹部に掛けることによって、一対の蓋体それぞれをヒンジ回りで回動させやすくなるので、幼児などによって容器本体の開口を容易に開放させない構成としつつ、操作性がさらに向上する。
【発明の効果】
【００１０】
この発明にかかる蓋付容器によれば、容器本体の開口を開放する場合には、容器本体のうちヒンジが配設されている部分を径方向内側に押し込みながら一対の蓋体をヒンジ回りに回動させる必要があり、また、容器本体の開口を閉塞する場合には、一対の蓋体をヒンジ回りに回動させるだけでよいので、操作性を維持しつつ、幼児などによって内容物を取り出す容器本体の開口を容易に開放させないようにすることができる。
【図面の簡単な説明】
【００１１】
【図１】本発明の一実施形態における蓋付容器を示す斜視図である。
【図２】図１の蓋付容器を示す軸方向断面図である。
【図３】図１の蓋付容器を示す上面図である。
【図４】図１の蓋付容器の開放状態を示す軸方向断面図である。
【図５】図４の蓋付容器を示す上面図である。
【発明を実施するための形態】
【００１２】
以下、本発明における蓋付容器の一実施形態を、図面に基づいて説明する。なお、以下の説明に用いる各図面では、各部材を認識可能な大きさとするために縮尺を適宜変更している。
【００１３】
本実施形態における蓋付容器１は、図１から図３に示すように、内容物が収容される容器本体２と、容器本体２にヒンジ３を介して連結されると共に容器本体２の開口２Ａを開閉する一対の蓋体４、５と、を備えている。
容器本体２は、横断面が長方形状の有底四角筒状をなしており、長方形状の底壁部１１と、底壁部１１の外周縁から上方に延設された四角筒状の筒壁部１２と、を備えている。本実施形態では、容器本体２の中心軸線を容器軸Ｏとし、容器軸Ｏに沿って蓋体４、５側を上方、その反対側を下方とし、容器軸Ｏに直交する方向を径方向、容器軸Ｏ回りの方向を周方向とする。
【００１４】
筒壁部１２は、容器軸Ｏを挟んで径方向で互いに向かい合う長方形状の一対の長辺壁部１３、１４と、同様に容器軸Ｏを挟んで径方向で互いに向かい合う長方形状の一対の短辺壁部１５、１６と、を有する。また、筒壁部１２の上端部は、径方向内側から陥没して薄肉とされている。
【００１５】
長辺壁部１３、１４の上端部における周方向の中央部には、上端辺に沿って延在する長円状の係合孔部（第１係合部）１３Ａ、１４Ａがそれぞれ形成されている。なお、長辺壁部１３、１４は、周方向の両端部から中央部に向けて径方向外側に向けて若干膨出するように湾曲板状をなしている。また、長辺壁部１３、１４は、短辺壁部１５、１６よりも周方向の幅が広くなっており、短辺壁部１５、１６と比較して径方向で膨出、陥没変形しやすくなっている。
短辺壁部１５、１６それぞれの上端部は、ヒンジ３を介して蓋体４、５に連結されている。したがって、ヒンジ３は、係合孔部１３Ａ、１４Ａを回避した位置に配設されている。短辺壁部１５、１６は、長辺壁部１３、１４よりも周方向の幅が狭くなっており、長辺壁部１３、１４と比較して弾性変形しにくいので、短辺壁部１５、１６全体として径方向に変位しやすくなっている。
【００１６】
蓋体４、５は、容器軸Ｏ回りに回転対称な形状となっており、横断面が長方形状の有頂四角筒状をなしている。そして、蓋体４、５は、長方形状の天壁部２１と、天壁部２１の外周縁から下方に延設された四角筒状の側壁部２２と、を備えている。
側壁部２２は、長辺壁部１３、１４が向かい合う方向で互いに向かい合う長方形状の一対の第１周壁部２３、２４と、同様に短辺壁部１５、１６が互いに向かい合う方向で向かい合う長方形状の一対の第２周壁部２５、２６と、を有する。そして、一対の第１周壁部２３、２４及び一対の第２周壁部２５、２６の下端部は、径方向外側から陥没して薄肉とされており、容器本体２の開口２Ａを閉塞している状態で容器本体２内に着脱自在に嵌合される四角筒状の脚部２７を形成している。
【００１７】
第１周壁部２３、２４それぞれの下端部には、下端辺に沿って延在すると共に径方向外側に向けて突出する係合突部（第２係合部）２３Ａ、２４Ａが形成されている。係合突部２３Ａは、蓋体４、５それぞれの第１周壁部２３に形成されており、係合突部２４Ａは、蓋体４、５それぞれの第１周壁部２４に形成されている。蓋体４の係合突部２３Ａと蓋体５の係合突部２４Ａとは、径方向内側から係合孔部１３Ａと係合しており、蓋体４の係合突部２４Ａと蓋体５の係合突部２３Ａとは、径方向内側から係合孔部１４Ａと係合している。
【００１８】
第２周壁部２５の下端部は、ヒンジ３を介して短辺壁部１５、１６の上端部に連結されている。したがって、ヒンジ３は、係合突部２３Ａ、２４Ａを回避した位置に配設されており、脚部２７の上端位置に連結されている。
また、蓋体４、５のうちの一方における第２周壁部２６は、他方における第２周壁部２６に突き合わされており、突合面を形成する。この第２周壁部２６は、容器軸Ｏ方向及び径方向双方に沿って延在している。そして、第２周壁部２６には、第２周壁部２５に向けて陥没する指掛け凹部２６Ａが形成されている。蓋体４、５のうちの一方における指掛け凹部２６Ａは、他方における指掛け凹部２６Ａと容器軸Ｏを中心として対称配置となるように形成されている。
【００１９】
次に、以上のような構成の蓋付容器１における開口２Ａの開口方法について説明する。
一対の蓋体４、５それぞれをヒンジ３回りに回動させようとすると、長辺壁部１３、１４の係合孔部１３Ａ、１４Ａと第１周壁部２３、２４の係合突部２３Ａ、２４Ａとが係合しているので、蓋体４、５をヒンジ３回りに回動させることが規制される。そのため、容器本体２の開口２Ａを開放する動作が規制される。
【００２０】
そのため、容器本体２の開口２Ａを開放するためには、まず、図１の矢印Ａに示すように、容器本体２の一対の短辺壁部１５、１６を径方向内側に押圧する。
一対の短辺壁部１５、１６を互いに径方向内側に押し込むと、長辺壁部１３、１４それぞれの周方向両端部が互いに接近移動するので、図１の矢印Ｂに示すように、長辺壁部１３、１４が互いに離間するように径方向外側に向けて弾性変形し、係合孔部１３Ａ、１４Ａが係合突部２３Ａ、２４Ａから離間するように径方向外側に向けて変位する。
【００２１】
このとき、短辺壁部１５、１６は、長辺壁部１３、１４よりも周方向の幅が狭くなっているので、長辺壁部１３、１４と比較して弾性変形しにくくなっている。そのため、短辺壁部１５、１６の周方向の中央部を径方向内側に押し込んでも、押し込む際に掛けた力が短辺壁部１５、１６を径方向内側に弾性変形させずに、短辺壁部１５、１６全体を径方向内側に変位させる。一方、長辺壁部１３、１４は、短辺壁部１５、１６よりも周方向の幅が広くなっており、また、長辺壁部１３、１４が湾曲板状をなしているので、径方向内側に向けて陥没変形することを防止しつつ、確実に径方向外側に膨出変形する。
【００２２】
これにより、係合孔部１３Ａ、１４Ａと係合突部２３Ａ、２４Ａとの係合が解除される、または緩むため、蓋体４、５のヒンジ３回りの回動動作の規制が解除される。
その後、係合孔部１３Ａ、１４Ａと係合突部２３Ａ、２４Ａとの係合を解除した状態で、一対の蓋体４、５それぞれの指掛け凹部２６Ａに指などを掛けて蓋体４、５それぞれをヒンジ３回りに回動させ、図４及び図５に示すように、容器本体２の開口２Ａを開放する。以上のようにして、容器本体２の開口２Ａを開放する。
ここで、例えば、特に内容物がＰＴＰ包装や個別包装されたものである場合、蓋体４、５の閉塞状態においてそれぞれの第２周壁部２６間に隙間を設けておき、短辺壁部１５、１６全体を径方向内側に変位させた際に第２周壁部２６が互いに当接もしくは近接するように構成することが好ましい。
これによって、短辺壁部１５、１６全体を径方向内側に変位させた際における蓋体４、５の浮き上がりを確実に防止できる。
【００２３】
なお、容器本体２の開口２Ａを閉塞するときには、一対の蓋体４、５それぞれをヒンジ３回りに回動させ、係合孔部１３Ａ、１４Ａと係合突部２３Ａ、２４Ａとを係合させる。これにより、容器本体２の開口２Ａを閉塞すると共に、蓋体４、５のヒンジ３回りの回動動作を再度規制する。
【００２４】
以上のような構成の蓋付容器１によれば、容器本体２の開口２Ａを開放するために、容器本体２のうち一対の短辺壁部１５、１６を径方向内側に押し込みながら一対の蓋体４、５をヒンジ３回りに回動させる必要があり、また、容器本体２の開口２Ａを閉塞するために、一対の蓋体４、５をヒンジ３回りに回動させるだけでよいので、操作性を維持しつつ、幼児などによって容器本体２の開口２Ａを容易に開放させないような構成とすることができる。
【００２５】
また、係合孔部１３Ａ、１４Ａを長辺壁部１３、１４に形成すると共にヒンジ３を短辺壁部１５、１６に配設することで、短辺壁部１５、１６を径方向内側に弾性変形することを防止しながら短辺壁部１５、１６全体を径方向内側に変位させることができると共に、長辺壁部１３、１４を径方向外側に膨出変形させやすくすることができる。さらに、指掛け凹部２６Ａに指などを掛けることで、一対の蓋体４、５それぞれをヒンジ３回りで回動させやすくなる。したがって、幼児などによって開口２Ａを容易に開放させない構成としつつ、容器本体２の開口２Ａの開放操作性が向上する。
【００２６】
なお、本発明は上記実施形態に限定されるものではなく、本発明の趣旨を逸脱しない範囲において種々の変更を加えることができる。
例えば、容器本体及び蓋体の形状は、四角筒状でなく、他の形状であってもよい。また、脚部は、係合突部が形成されていれば、筒状でなく、他の形状であってもよい。
係合孔部は、長辺壁部における周方向の中央部に形成しているが、ヒンジを周方向で回避した位置に配設されていれば、他の箇所に配設されてもよい。
蓋体には、指掛け凹部に替えて指掛け突起部など、指を掛ける他の構造を適用してもよく、指掛け凹部を形成しなくてもよい。
第１係合部と第２係合部とは、互いに係合すればよく、第１係合部を係合凹部とする構成や、第１係合部を係合突部とすると共に、第２係合部を係合孔部または係合凹部とする構成など、他の形状であってもよい。また、容器本体に一対の係合孔部が形成されると共に、各蓋体に一対の係合突部が形成されているが、少なくとも１つの係合孔部と係合突部とが形成されていればよい。
【産業上の利用可能性】
【００２７】
この発明によれば、操作性を維持しつつ、内容物を取り出す容器本体の開口を容易に開放させないようにした蓋付容器に関して、産業上の利用可能性が認められる。
【符号の説明】
【００２８】
１  蓋付容器、２  容器本体、２Ａ  開口、３  ヒンジ、４，５  蓋体、１３，１４  長辺壁部、１３Ａ，１４Ａ  係合孔部（第１係合部）、１５，１６  短辺壁部、２３Ａ，２４Ａ  係合突部、２６  第２周壁部（突合面）、２６Ａ  指掛け凹部、２７  脚部、Ｏ  容器軸
【図１】
0005746883.tif 000002
【図２】
0005746883.tif 000003
【図３】
0005746883.tif 000004
【図４】
0005746883.tif 000005
【図５】
0005746883.tif 000006